(57)【要約】【課題】同一番組タイトルが複数ユーザで共有される場合、その番組タイトルを未だ視聴していないユーザがいてもその番組が別のユーザにより削除されてしまうことを防止する。【解決手段】実施形態は、マイフォルダを設定する構成と、複数ユーザが共有できる特定の録画タイトル（番組Ｑ１）を参照する共有タイトル参照項目（フォルダ情報項目Ｆ１〜Ｆ４）を２以上のマイフォルダに格納または追加する構成と、２以上のマイフォルダから共有タイトル参照項目（フォルダ情報項目Ｆ１、Ｆ２）を削除する構成を備えている。２以上のマイフォルダのうちの一部から共有タイトル参照項目（フォルダ情報項目Ｆ１、Ｆ２）を削除しても、２以上のマイフォルダのうちの何処かに共有タイトル参照項目が残っていれば（フォルダ情報項目Ｆ３、Ｆ４）、その共有タイトル参照項目が参照する特定の録画タイトル（番組Ｑ１）のオブジェクトデータ（実ファイル）は削除されない。【選択図】図９
2015122549.tif 000002
【特許請求の範囲】
【請求項１】
録画機能を持つ映像機器において、
任意の数のマイフォルダを設定する手段と；
複数ユーザが共有できる特定の録画タイトルを参照する共有タイトル参照項目を２以上の前記マイフォルダに格納または追加する手段と；
２以上の前記マイフォルダから前記共有タイトル参照項目を削除する手段を備え、
２以上の前記マイフォルダのうちの一部から前記共有タイトル参照項目を削除しようとしても、２以上の前記マイフォルダのうちの何処かに前記共有タイトル参照項目が残っていれば、その共有タイトル参照項目が参照する前記特定の録画タイトルのオブジェクトデータは削除されないように構成した、映像機器。
【請求項２】
前記共有タイトル参照項目が２以上の前記マイフォルダのどれにも残っていない場合に前記特定の録画タイトルのオブジェクトデータを削除可能とする手段をさらに備えた、請求項１に記載の映像機器。
【請求項３】
２以上の前記マイフォルダに格納された前記共有タイトル参照項目を含む録画リストから前記共有タイトル参照項目が削除される場合は、この削除される共有タイトル参照項目が参照する前記特定の録画タイトルのオブジェクトデータを削除し、かつ、この削除される共有タイトル参照項目と同じ共有タイトル参照項目を２以上の前記マイフォルダから全て削除する手段をさらに備えた、請求項１に記載の映像機器。
【請求項４】
録画日時情報を伴う１以上の録画タイトルを記憶する情報記憶媒体をさらに備え、この情報記憶媒体から、
（１）前記録画リストには含まれるが２以上の前記マイフォルダには含まれていない番組タイトル、
（２）２以上の前記マイフォルダにより共有されているが全ての共有ユーザが視聴済みの番組タイトル、
の優先順位の下で、録画日時の古い順に、記憶された録画タイトルを１以上削除する手段をさらに備えた、請求項３に記載の映像機器。
【請求項５】
任意の数のマイフォルダを設定する処理と；
複数ユーザが共有できる特定の録画タイトルを参照する共有タイトル参照項目を２以上の前記マイフォルダに格納または追加する処理と；
２以上の前記マイフォルダから前記共有タイトル参照項目を削除する処理を備え、
２以上の前記マイフォルダのうちの一部から前記共有タイトル参照項目を削除しようとしても、２以上の前記マイフォルダのうちの何処かに前記共有タイトル参照項目が残っていれば、その共有タイトル参照項目が参照する前記特定の録画タイトルのオブジェクトデータは削除されないように構成した、番組共有方法。
【請求項６】
任意の数のマイフォルダを設定して表示する処理と；
複数ユーザが共有できる特定の録画タイトルを参照する共有タイトル参照項目を２以上の前記マイフォルダに格納または追加して表示する処理と；
２以上の前記マイフォルダから前記共有タイトル参照項目を削除する処理を備え、
２以上の前記マイフォルダのうちの一部から前記共有タイトル参照項目を削除しようとしても、２以上の前記マイフォルダのうちの何処かに前記共有タイトル参照項目が残っていれば、その共有タイトル参照項目が参照する前記特定の録画タイトルのオブジェクトデータは削除されず、２以上の前記マイフォルダのうちの少なくとも一部の前記共有タイトル参照項目の表示が残るように構成した、番組表示方法。
【請求項７】
前記特定の録画タイトルに対応する番組フレームを含む電子番組表の表示において、前記特定の録画タイトルを共有するユーザを示すアイコンを表示するように構成した、請求項６に記載の番組表示方法。
【発明の詳細な説明】
【技術分野】
【０００１】
この発明の実施形態は、番組を共有する映像機器、番組の共有方法、および番組の表示方法に関する。
【背景技術】
【０００２】
録画機能付テレビジョン（ＴＶ）、デジタルビデオレコーダ、もしくはタイムシフトマシン（複数チャネルの放送番組群を丸ごと長時間自動録画できるレコーダ）などで録画した1以上の番組は、録画リストから再生することができる。録画リストでは、録画された1以上の番組タイトルのグループ分け表示が可能となっている（フォルダ機能）。録画予約時に保存先フォルダが指定されていた１以上の録画番組タイトルは、録画リスト上で指定されたフォルダに纏めて表示される。例えば、家族など複数のユーザで１台の録画機能付ＴＶまたはレコーダを使用する場合、家族ユーザのそれぞれは見たい番組タイトルを自分用のフォルダ（マイフォルダ）に紐づけて（リンクして）予約録画できる。そうすると、家族ユーザのそれぞれは、自分の見たい番組タイトルをマイフォルダから容易に選択し再生することが可能となる。（予約録画番組とユーザとを関連付ける公知例としては、特許文献１がある。また、複数ユーザ間で録画番組を共有する公知例としては、特許文献２がある。）
このように、フォルダ機能を上手に利用すれば、録画リストの利便性を向上させることができる。しかし、複数ユーザで同一番組タイトルを共有する場合、次に述べるような、不便な面も生じ得る。
【０００３】
例えば、録画番組タイトルがある１つのマイフォルダにしか紐づけされていないと、録画番組タイトルはその１つのマイフォルダにしか表示されない。その場合、複数ユーザで同一番組タイトルを共有すると、他のユーザ（録画をしなかったユーザ）は録画したユーザのマイフォルダからその共有番組タイトルを再生しなければならない。しかし、録画したユーザが共有番組タイトルを見終わり自分のマイフォルダ内にある共有番組タイトルを削除してしまうと、その共有番組タイトルをまだ見ていない他のユーザは「見たかったのに削除されてしまった！」といった事になる。このような事態を回避するには、録画したユーザは、その共有番組タイトルを自分のマイフォルダから削除する前に、番組共有をしている他のユーザ全員に、見終わったか否かの確認（あるいは削除してもよいかどうかの問合せ）をしなくてはならない。
【先行技術文献】
【特許文献】
【０００４】
【特許文献１】特開２０１２−２３１４２４号公報
【特許文献２】特開２００５−０２０３５６号公報
【発明の概要】
【発明が解決しようとする課題】
【０００５】
同一番組タイトルを複数のユーザで共有すると、その番組タイトルを未だ視聴していないユーザ（あるいは、その番組タイトルを視聴済みであっても消さずに保存したいと思っているユーザ）がいたとしても、その番組は別のユーザにより不用意に削除されてしまう事態が発生し得る。
【０００６】
この発明の課題の１つは、上記のような事態の発生を回避することである。
【課題を解決するための手段】
【０００７】
番組を共有する映像機器は、録画機能付ＴＶ、デジタルビデオレコーダ、タイムシフトマシンなどの形態で実施できる。この実施形態に係る映像機器は、任意の数のマイフォルダを設定する構成と、複数ユーザが共有できる特定の録画タイトル（例えば「番組Ａ」）を参照する共有タイトル参照項目（録画リストやマイフォルダなどにある「番組Ａ」のフォルダ情報項目）を２以上の前記マイフォルダに格納または追加する構成と、２以上の前記マイフォルダから前記共有タイトル参照項目（「番組Ａ」のフォルダ情報項目）を削除する構成を備えている（フォルダ情報項目はユーザに表示されるメニューバーの属性情報として処理することができる）。
【０００８】
ここで、複数ユーザが家族構成員の場合は、マイフォルダとして「おとうさんフォルダ」、「ぼくフォルダ」、「わたしフォルダ」などを設定できる。複数ユーザが共有できる特定の録画タイトルとしては、番組Ａ、番組Ｂ、番組Ｃなどがある。また、この特定の録画タイトルを参照する共有タイトル参照項目としては、例えば録画リストやマイフォルダ内に表示される「番組Ａ」のフォルダ情報項目がある。このフォルダ情報項目には、該当番組の番組名、放送局名（放送チャネル番号）、放送日時、ユーザを特定するアイコン、保存先情報（録画番組の保存メディアを特定する情報）、録画時間、録画品質などの属性情報が適宜付加されている。
【０００９】
２以上の前記マイフォルダのうちの一部から前記共有タイトル参照項目（例えば「わたしフォルダ」内の「番組Ａ」のフォルダ情報項目）を削除しても、２以上の前記マイフォルダのうちの何処かに前記共有タイトル参照項目が残っていれば（例えば「ぼくフォルダ」内に「番組Ａ」のフォルダ情報項目があれば）、その共有タイトル参照項目（「わたしフォルダ」内の「番組Ａ」のフォルダ情報項目）が参照する前記特定の録画タイトル（「番組Ａ」）のオブジェクトデータ（実ファイル）は削除されないように構成できる。
【００１０】
上記の構成では、マイフォルダに表示されたフォルダ情報項目の削除（フォルダ表示からの番組削除）と、そのフォルダ情報項目に対応するオブジェクトデータの削除（実ファイルの削除）を区別しており、フォルダ表示上で番組削除しても対応する実ファイルは削除しないで残すことができる。そのため、特定の番組タイトルを複数ユーザで共有しつつも、複数ユーザのうちの任意のユーザは他のユーザを意識しないで番組削除操作をすることができる。
【図面の簡単な説明】
【００１１】
【図１】一実施形態に係る、録画機能を搭載したデジタルＴＶの構成を示す図である。
【図２】録画設定メニューの一例を示す図である。
【図３】録画予約に伴うマイフォルダ設定処理の一例を示す図である。
【図４】マイフォルダが設定されたあと（あるいはマイフォルダが編集されたあと）の電子番組表の表示例を示す図である。
【図５】マイ予約リストと通常の予約リストの一例を示す図である。
【図６】録画した番組リストの種々な表示例を示す図である。
【図７】マイフォルダ設定処理の他例を示す図である。
【図８】番組の共有モードの一例を説明する図である。
【図９】１つの録画番組に複数ユーザのフォルダ情報がリンクしている場合における、番組削除の考え方を説明する図である。
【図１０】録画番組と各フォルダの紐づきの関係の一例を説明する図である。
【図１１】操作手順の一例を示す図である。
【図１２】録画番組を自動削除する手順の一例を示す。
【発明を実施するための形態】
【００１２】
以下、実施の形態について図面を参照して説明する。図１は、録画機能を搭載したデジタルＴＶの構成の一例を示す。ＢＳ／ＣＳデジタル放送受信用のアンテナ４３で受信した衛星デジタル放送信号は、入力端子４４を介して衛星デジタル放送チューナ４５に供給され、所望のチャンネルのＢＳまたはＣＳ放送信号が選局される。このチューナ４５で選局された放送信号は、ＰＳＫ（phase shift keying）復調器４６に供給されてＴＳ（transport stream）が復調される。このＴＳは、ＴＳ復号器４７に供給されてデジタルの映像信号及び音声信号等に復号化され、信号処理部４８に供給される。（衛星デジタル放送チューナ４５は複数設けられていてもよい。）
また、地上波放送受信用のアンテナ４９で受信した地上デジタルＴＶ放送信号は、入力端子５０を介して１以上の地上デジタル放送チューナ５１−１〜５１−ｎに供給され、所望のチャンネルの地上デジタル放送信号が選局される。これらのチューナ５１−１〜５１−ｎで選局された放送信号は、ＯＦＤＭ（orthogonal frequency division multiplexing）復調器５２−１〜５２−ｎに供給されてＴＳが復調される。このＴＳは、ＴＳ復号器５３−１〜５３−ｎに供給されてデジタルの映像信号及び音声信号に復号化された後、信号処理部４８に供給される。（ｎの数は任意であるが、例えばｎは６〜８位に選ばれる。）
信号処理部４８は、ＴＳ復号器４７、５３−１〜５３−ｎからそれぞれ供給されたデジタル映像信号及びデジタル音声信号に対して、選択的に所定のデジタル信号処理を施し、処理結果をグラフィックス処理部５６及び音声処理部５７に供給する。なお、信号処理部４８は、内部に映像および音声のアナログ／デジタルコンバータ（ＡＤＣ）を含んでおり、これらのＡＤＣにＡＶ入力端子５８ａ，５８ｂ，５８ｃ，５８ｄが接続されている。これらのＡＶ入力端子５８ａ〜５８ｄは、アナログ映像信号及びアナログ音声信号をデジタルＴＶ１１へ外部入力するためのものである。
【００１３】
信号処理部４８は、ＡＶ入力端子５８ａ〜５８ｄから入力されたアナログ映像信号及びアナログ音声信号を適宜デジタル化し、デジタル化された映像音声信号に対して所定のデジタル信号処理を施した後、グラフィックス処理部５６及び音声処理部５７に供給する。
【００１４】
グラフィックス処理部５６は、信号処理部４８から供給されるデジタル映像信号に、ＯＳＤ（on screen display）信号生成部５９で生成されるＯＳＤ信号を重畳して出力する機能を有する。このグラフィックス処理部５６はさらに、信号処理部４８の出力映像信号と、ＯＳＤ信号生成部５９の出力ＯＳＤ信号とを選択的に出力することや、両出力をそれぞれ画面の半分を構成するように組み合わせて出力することもできるように構成されている。
【００１５】
グラフィックス処理部５６から出力されたデジタル映像信号は、映像処理部６０に供給される。映像処理部６０は、入力されたデジタルの映像信号を映像表示器１４で表示可能なフォーマットのアナログ映像信号に変換し、映像表示器１４に供給して映像表示させる。同時に、映像処理部６０は、映像出力端子６１を介して外部へのアナログ映像出力を行う。音声処理部５７は、入力されたデジタル音声信号をスピーカ１５で再生可能なアナログ音声信号に変換し、スピーカ１５に出力して音声再生させるとともに、音声出力端子６２を介して外部へのアナログ音声出力を行う。
【００１６】
このデジタルＴＶ１１では、各種の受信動作を含むその全ての動作が、制御部６３によって統括的に制御されている。具体的には、制御部６３は、操作部１６からの操作情報を受け、または、リモートコントローラ１７から送出され受光部１８で受信した操作情報を受けて、その操作内容が反映されるようにＴＶ１１内の各部（あるいはＴＶ１１に接続された外部機器）適宜制御する。
【００１７】
この制御部６３は、ＣＰＵ（またはＭＰＵ）６３ａ、ＲＯＭ６３ｂ、ＲＡＭ６３ｃ、不揮発性メモリ６３ｄ、番組表作成／録画予約の制御部６３ｅ、フォルダ管理部６３ｆ、番組管理部６３ｇなどを備えている。ここで、ＲＯＭ６３ｂには、ＣＰＵ（ＭＰＵ）が実行する種々な制御プログラム（ファームウエア）および各種パラメータが格納される。ＲＡＭ６３ｃは、制御プログラム実行時のワークエリアを提供する。不揮発性メモリ６３ｄには、ユーザ操作などの外部操作により設定された種々な設定情報およびその設定に関連する種々な制御情報が記憶される。
【００１８】
電子番組表および録画予約に関する処理は、番組表作成／録画予約の制御部６３ｅのファームウエアが担当する。各種フォルダの管理についてはフォルダ管理部６３ｆのファームウエアが担当する。各フォルダに格納される番組の管理については番組管理部６３ｇのファームウエアが担当する。その他のファームウエアは、ＲＯＭ６３ｂに格納されている。
【００１９】
制御部６３には、カードＩ／Ｆ６４を介してカードホルダ６５が接続されている。これにより、制御部６３は、カードホルダ６５に装着された第１のメモリカード１９と、カードＩ／Ｆ６４を介して情報伝送（情報交換）を行なうことができる。さらに、制御部６３にはカードＩ／Ｆ６６を介してカードホルダ６７が接続されている。これにより、制御部６３は、カードホルダ６７に装着された第２のメモリカード２０と、カードＩ／Ｆ６６を介して情報伝送（情報交換）を行なうことができる。
【００２０】
制御部６３は、通信Ｉ／Ｆ６８を介してＬＡＮ端子２１に接続されている。この端子２１は、ルータ２１２を介して、インターネットや外部のＰＣ（Personal Computer）と通信接続することができる。
【００２１】
また、制御部６３は、通信Ｉ／Ｆ６９を介してＬＡＮ端子２２に接続されている。これにより、制御部６３は、ＬＡＮ端子２２に接続された、第２のＴＶ２２２あるいは第３のＴＶ２２４もしくはＬＡＮ対応のＨＤＤ２２６と、情報伝送（情報交換）を行なうことができる。この場合、制御部６３は、ＤＨＣＰ（dynamic host configuration protocol）サーバ機能を有しており、例えばＬＡＮ対応のＨＤＤ２２６にＩＰ（internet protocol）アドレスを割り当てて制御できる。
【００２２】
さらに、制御部６３は、ＵＳＢ Ｉ／Ｆ７０を介してＵＳＢ端子２３に接続されている。これにより、制御部６３は、ＵＳＢ端子２３に接続された各機器と情報伝送（情報交換）を行なうことができる。この例では、Ｉ／Ｆ７０はＵＳＢ２．０およびＵＳＢ３．０に対応しており、ＵＳＢハブ２３２を介して、ＵＳＢ２．０またはＵＳＢ３．０対応のＨＤＤ２３４およびＨＤＤ２３６が、端子２３に接続されている（ここではＵＳＢＨＤＤを２台しか図示していないが、例えば１ハブあたりＨＤＤを４台まで増設できる）。高速のＵＳＢ３．０ＨＤＤを用いれば、複数放送チャネル分（例えば６チャネル分）の個別番組を同時録画できる。
【００２３】
さらに、制御部６３は、ＩＥＥＥ１３９４（またはＨＤＭＩ（登録商標））Ｉ／Ｆ７１を介してＩＥＥＥ１３９４（またはＨＤＭＩ）端子２４に接続されている。これにより、制御部６３は、ＩＥＥＥ１３９４（またはＨＤＭＩ）端子２４に接続された各機器と情報伝送を行なうことができる。この例では、デジタルビデオレコーダ（またはタイムシフトマシン）２４２が、端子２４に接続されている。デジタルビデオレコーダ（またはタイムシフトマシン）２４２にはＨＤＤの他に光ディスクドライブも装備されており、１以上のＨＤＤのいずれかに保存された番組を光ディスクへダビング（コピーまたはムーブ）できるようになっている。
【００２４】
制御部６３にはさらに、ＴＶ１１に内蔵された内部ＨＤＤ８０が接続されている。端子２１〜２４に外部録画装置（ＨＤＤ、デジタルレコーダ、タイムシフトマシンなど）が接続されていなくても、内部ＨＤＤ８０を用いて、ＴＶ放送番組の予約録画、タイムシフト録画などを行うことができる。
【００２５】
次に、具体的なメニュー画面および操作手順を例示しながら、実施形態の具体的内容を説明する。図１１は操作手順の一例を示す。この操作手順は、図１の制御部６３により実行される。この操作手順が実行される際のユーザ操作は、例えば図１のリモートコントローラ１７の各種操作キー（図示せず）を用いて行うことができる。
【００２６】
図２は、録画設定メニューの一例を示す。番組の録画設定処理（図１１のＳＴ１０）において、予約録画される番組の保存先（例えば図１のＨＤＤ８０）などが設定される。その際、番組へのフォルダ情報の付加は、マイフォルダ設定処理（図１１のＳＴ１２）において行われる。このフォルダ情報付加は、録画予約メニュー（図２（ａ）の1-a）内のメニューバー「マイフォルダ」（図２（ａ）の1-b）を選択することで開いたマイフォルダ設定メニュー（図２（ｂ）の2-a）から、行うことができる。マイフォルダ設定メニュー（2-a）でのフォルダ情報の付加は、各フォルダのチェックボックス（図２（ｂ）の2-b）へチェックを入れることで行う。ここで、複数のチェックボックスにチェックをいれることにより、１つの番組に複数のフォルダ情報を付加することができる。マイフォルダ設定で表示される各フォルダの項目（「おとうさん」、「おかあさん」、「ぼく」、「わたし」、「おじいちゃん」、「おばあちゃん」など）には、ユーザが任意に設定可能なアイコン（（図２（ｂ）の2-c）が表示される。
【００２７】
なお、マイフォルダ（図２（ｂ））で設定される各フォルダの家族名（「おとうさん」、「おかあさん」、「ぼく」、「わたし」、「おじいちゃん」、「おばあちゃん」など）はデフォルトで用意されているが、これらのフォルダ名はユーザが後から任意に変更できるようになっている。また、新たなマイフォルダを追加したり、既存のマイフォルダのうち不要になったものを削除することもできるようになっている。
【００２８】
たとえば、おじいちゃんとおばあちゃんの見たい番組は概ね共通しており、常々一緒に番組視聴しているときは、「おじいちゃん」のマイフォルダと「おばあちゃん」のマイフォルダの２つ削除し、「おじいちゃんとおばあちゃん」という新たなマイフォルダを１つ追加することができる。この場合は、ユーザが物理的に２人いても、（コンピュータ処理上で）論理的には１人のユーザとして「おじいちゃんとおばあちゃん」のマイフォルダを扱うことができる。
【００２９】
図３は、録画予約に伴うマイフォルダ設定処理の一例を示す。ユーザがリモートコントローラ１７のカーソルキー操作で電子番組表（図３（ｂ））上の所望の番組フレームにカーソルを合わせ、リモートコントローラ１７の決定キーを押すことで、その番組の録画予約が行われる。この操作を繰り返すことにより、電子番組表から、これから放送される１以上の番組を予約することができる（図１１のＳＴ１４）。
【００３０】
録画予約された番組の詳細は、予約リスト（図３（ａ）の3-a）で確認することができる。ユーザによってフォルダ情報が付加されている番組には、ユーザが任意に設定したアイコンが表示される（図３（ａ）の各番組フレーム内右側に例示された顔アイコン参照）。このユーザによる任意のアイコン設定は、図２（ｂ）のマイフォルダ設定メニューでチェックを入れることによって、行うことができる。特定番組（例えば「番組Ａ」）が複数のユーザにより共有されている場合には、その番組のフレーム内に複数のアイコン（図３（ａ）の3-b）が表示される。
【００３１】
ここで、あるユーザによって既に録画予約されている番組を他のユーザが共有したい場合、マイフォルダの編集が行われる（図１１のＳＴ１６）。この編集処理では、まず予約リスト（図３（ａ）の3-a）または図３（ｂ）の番組表から、共有対象の番組が選択される。この選択により開いた録画設定メニュー（図３（ｃ））内にあるメニューバー「マイフォルダ」からマイフォルダ設定メニュー（図３（ｄ））を開き、追加したいフォルダのチェックボックスにチェックを入れる。例えば、図３（ａ）の番組Ａが以前はユーザ「ぼく」だけが予約していたが、あとからユーザ「わたし」が共有したいときは、マイフォルダ設定メニュー（図３（ｄ））の「わたし」のチェックボックスにチェックを入れる。すると、図３（ａ）の「番組Ａ」のフレーム内の「ぼく」アイコンに「わたし」アイコンが追加され、「番組Ａ」が「ぼく」と「わたし」という２人のユーザにより共有されたことが示される。
【００３２】
図３（ａ）の予約リストに従い、番組の予約録画が行われる（図１１のＳＴ１８）。この予約録画と並行して、あるいはこの予約録画とは別に、ユーザ操作によって、通常録画（現在放送中の番組録画）を行うこともできる（図１１のＳＴ１８）。
【００３３】
図４は、マイフォルダが設定されたあと（あるいはマイフォルダが編集されたあと）の電子番組表の表示例を示す。番組表を表示した際（図４の4-a）、フォルダ情報が付加された番組（例えば「番組Ａ」）のフレーム（4-b）がカーソル選択されたタイミングで、ユーザによって任意に設定されたアイコンがポップアップ表示（4-c）される。これにより、複数ユーザにより共有された番組は、そうでない他の番組と違いが直ぐに分かるようになる。また、ポップアップ表示（4-c）とは別に、番組表下部に表示される番組タイトル表示欄にも、ユーザによって任意に設定されたアイコン表示（4-d）を付加することができる。この番組表下部におけるアイコン表示は、フォルダ情報の付加（追加）／削除に連動しており、アイコン（（図２（ｂ）の2-c）が付加されているフォルダ情報に該当するアイコンのみが表示される。
【００３４】
ポップアップ表示（4-c）のある番組が電子番組表の現在表示部分の外にあると、電子番組表上からは共有番組があるかどうか分からない。あるいは、ポップアップ表示（4-c）のある番組が電子番組表の現在表示部分内にあっても、電子番組表全体を縮小表示している場合は、ユーザが別の箇所に注目していると、ポップアップ表示（4-c）に直ぐには気づかない可能性がある。そのような場合でも、画面右下のアイコン表示（4-d）は表示位置がほぼ決まっているので、ユーザは共有番組があることを見落とし難い。ここにアイコン表示（4-d）があることを発見したら、ユーザは電子番組表全体を見直して（必要なら番組表をスクロールして）、どの番組が共有されているのかを見つけ出すことができる。
【００３５】
図５は、マイ予約リストと通常の予約リストの一例を示す。マイ予約リスト（5-a）には、「おじいちゃん」、「おとうさん」、「ぼく」など個々のユーザ毎に、フォルダ情報が付加された１以上の番組フレーム（番組タイトルのメニューバー）が、纏めて表示される。これに対し、通常の予約リスト（5-b）では、複数ユーザ全体に対して、フォルダ情報が付加された１以上の番組フレーム（メニューバー）が、纏めて表示される。
【００３６】
ユーザは、予約リストを表示する際に、マイ予約リスト（5-a）と、通常の予約リスト（5-b）を切り替え表示できる。例えばユーザ「おとうさん」は、自分が予約録画した番組情報だけをマイ予約リスト（5-a）から確認できる一方で、自分が予約録画した番組を含め家族みんながどんな番組を録画しかつ共有しているのかを予約リスト（5-b）から窺い知ることができる。
【００３７】
既に録画された番組を確認する際は、リモートコントローラ１７のキー操作により、録画リストを表示する（図１１のＳＴ２０）。図６は、録画した番組リストの種々な表示例を示す。録画した番組のリストには複数種類の表示方法が用意されている。例えば、全ての番組表示を行う録画リスト表示（6-a）、曜日別の番組表示を行う曜日別表示（6-b）、ジャンル別の番組表示を行うジャンル別表示（6-c）、ユーザ別の番組表示を行うマイフォルダ表示（6-d）などが用意されている。録画リスト表示（6-a）、曜日別表示（6-b）、ジャンル別表示（6-c）、およびマイフォルダ表示（6-d）は、図６の破線矢印で示すように、相互の間で表示切り換え可能となっている。各ユーザは、リモートコントローラ１７のキー操作により、好みの表示方法（表示形態）を切り替え選択できる。
【００３８】
通常、全てのユーザが録画した全録画番組の数は非常に多くなる。その場合、録画リストの１画面表示（6-a）では全番組を表示し切れないが、番組タイトルのメニューバーをリモートコントローラのカーソルキー操作でスクロールさせることにより、全番組タイトルを確認できるようになる。また、曜日別の１画面表示（6-b）では月曜〜日曜のうちの１つ分の番組リストしか１画面表示しない。そこで各曜日のタブを設け、各曜日のタブをリモートコントローラのキー操作で選択することにより、全ての曜日の番組リストを切り替え表示できるようにしている。１画面に表示し切れなかった分はスクロール表示により順次表示させることができる。同様に、ジャンル別の１画面表示（6-c）では種々な番組ジャンルのうちの１つ分の番組リストしか１画面表示しない。そこで各ジャンルのタブを設け、各ジャンルのタブを選択することにより、ジャンル毎の番組リストを切り替え表示できるようにしている。
【００３９】
マイフォルダ表示（6-d）の場合も同様に、ユーザ毎のタブを設けて、ユーザ毎の番組リストを切り替え表示できるようにしている。例えば、マイフォルダの表示（7-a）では、「おとうさん」というユーザタブ（7-b）を選択することにより、「おとうさん」が録画した番組（7-c）のみがメニュー表示される（１画面に入り切らなかった番組は画面スクロールにより表示できる）。ユーザタブを「ぼく」に切り換えれば「ぼく」が録画した番組のみを表示できる。
【００４０】
図７は、マイフォルダ設定処理の他例を示す。他のユーザ（例えばおとうさん）のマイフォルダにある録画済みの番組Ａ（図７（ａ）の8-a）を、自分（例えばわたし）のマイフォルダ（図７（ｃ）の8-b）にも表示し共有したい場合、番組共有のためのマイフォルダ編集が行われる（図１１のＳＴ１６ａ）。この編集処理では、他のユーザ「おとうさん」のマイフォルダで番組Ａにカーソルが当っている状態で、リモートコントローラ１７の図示しない所定キー（カラーキーあるいはクイックメニューキー）からマイフォルダ設定メニュー（図７（ｂ）の8-c）を開く。そして、番組Ａを追加したい「わたし」フォルダの項目にチェック（図７（ｂ）の8-d）を入れる。これによって、自分（わたし）のマイフォルダに番組Ａ（図７（ｂ）の8-f）が追加され、番組Ａを共有登録（図７（ｂ）の8-e）することができる。
【００４１】
ここで、他のユーザ「おとうさん」のマイフォルダに表示されている番組Ａを自分（わたし）のマイフォルダにも表示し共有する場合、共有する対象の番組Ａが他のユーザ「おとうさん」では視聴済み（“NEW”アイコンが消えた状態）となっていたとしても、新たに共有された自分（わたし）のマイフォルダでは未視聴の（“NEW”アイコンが表示された）番組とする（図７（ｃ）の8-f）。
【００４２】
なお、図７（ａ）（ｃ）の例では、番組Ｃも共有されているが、ここでは共有ユーザ（おとうさんとわたし）がともに番組Ｃを視聴済み（過去に１度以上再生されたことがあるというフラグが属性情報に含まれている）であると想定している。そのため、番組Ｃについては共有ユーザのいずれのマイフォルダにおいても番組Ｃに“NEW”アイコンがついていない。
【００４３】
マイフォルダの表示（図７（ｃ）（ｄ）など）において、カーソルが当っている番組については、リモートコントローラ１７の再生キーをオンすることにより、その番組を再生できる（図１１のＳＴ２２）。あるいは、再生キーを押さなくても、カーソルが当っている番組タイトルバーの左側小画面（サムネール画面）でその番組のプレビュー再生を行うことにより、その番組内容の確認ができる（図１１のＳＴ２２）。また、プレビュー再生画面の下にその番組の属性情報（放送局名、放送日時など）を表示できる。
【００４４】
さらに、現在使用中の録画記憶メディア（例えば図１のＨＤＤ８０)の空き容量に対応する録画可能時間（現在の録画品質モードであとどれくらいの時間録画ができるか）も表示できる。この録画可能時間は、録画済み番組の一部を削除する必要があるか否かの判断材料となる。録画可能時間が少ない（例えば１０時間以下）ときは、各ユーザは、他のユーザと共有されていない番組について、自己判断で番組削除（図１１のＳＴ２４における手動番組削除）して、録画可能時間を増やすことができる。「他のユーザと共有されていない番組」の確認方法については後述する。また、番組削除を自動的に行う場合（図１１のＳＴ２４における自動番組削除）についても、後述する。
【００４５】
図８は、番組の共有モードの一例を説明する図である。例えばユーザ「ぼく」は、自分のマイフォルダを表示している状態（図８（ａ）の8-g）で、リモートコントローラ１７の所定キー（カラーキーあるいはクイックメニュー）を押して、共有モードに移行することができる。共有モードに入ったら、ユーザ「ぼく」は、リモートコントローラ１７のカーソルキー操作で、共有相手のユーザ「わたし」のタブを選択する（図８（ｂ）の8-h）。この共有モードでは、選択されたタブのユーザ「わたし」が録画した番組群のうち、「わたし」以外のユーザと共有されている番組については、メニューバーの右端に”シェア”などの文字またはマークを出す（図８（ｂ）の8-k）。これにより、”シェア”が付された番組が「複数ユーザ間で共有済みの番組である」ことが、注意喚起される。
【００４６】
換言すると、共有モードの画面表示において、メニューバーの右端に”シェア”などの文字またはマークが出ていない番組については、複数ユーザにより共有されていないことが分かる。共有モード表示画面上で”シェア”が出ていない非共有番組については、例えば図６の録画リストあるいはマイフォルダから、その非共有番組を削除することができる（図１１のＳＴ２４における手動番組削除）。ただし、録画リストでは自分が録画した番組以外の番組もリストアップされているので、録画リストから番組削除するときは、その削除対象番組が他ユーザにより録画されたものではないことを確認することが望まれる。
【００４７】
なお、フォルダ情報を付加して録画された共有番組がコピーワンス番組の場合は、最初の録画行為でそれ以上コピーできない（ムーブしかできない）番組になっている。そのような番組については、録画リストからのムーブは可能とするが、マイフォルダからのムーブについては不可とすることができる（コピーワンスの番組はムーブ後に元の場所から削除されてしまうため、その番組を共有している他ユーザへの迷惑度を考慮して、マイフォルダからの気軽なムーブは禁止する）。その場合は、ユーザがマイフォルダからムーブしようとしたときに、「録画リストからのムーブの実施を促すメッセージ」、および「ムーブによって他のユーザのマイフォルダに表示されている共有番組が消えてしまう旨のメッセージ」を表示する。
【００４８】
共有モード中は、リモートコントローラ１７の所定キー操作（図８（ｃ）の8-j）で、他のユーザ（わたし）のマイフォルダにある番組（例えば番組Ａ）を、簡単に自分（ぼく）のマイフォルダに追加することができる（図８（ｄ））。こうして番組Ａが「ぼく」と「わたし」の間で共有されると、「わたし」の番組Ａのメニューバー右端に”シェア”などの文字またはマークが出る（図８（ｅ））。（なお、図７の例では番組Ａは「おとうさん」とも共有されているが、図８は「ぼく」と「わたし」の共有関係の例示に留めている。）
共有モードでは、番組視聴を不能にするような操作（番組削除など）のメニューを非表示として（または表示しても操作禁止状態にして）、ユーザ「ぼく」が他のユーザ「わたし」の番組をうっかり削除してしまうといった誤操作を防ぐようにしている。なお、ユーザ「ぼく」が他のユーザ「わたし」のマイフォルダ上の番組Ａを視聴したとしても、その番組は「わたし」にとっては視聴済みとならず、“NEW”アイコンは「わたし」マイフォルダ内の番組Ａのメニューバーから消えないようにする（図８（ｃ）の8-i）。
【００４９】
上記「番組視聴を不能にするような操作」には、番組のムーブ（コピー元の番組をコピー完了後に消してしまうダビング操作）や編集（番組名の変更やタイトル結合など）を含めることもできる。例えば、「わたし」の番組Ａを「ぼく」が自分の光ディスクにムーブし、「ぼく」がそのディスクを持って外出してしまうと、「わたし」はその番組Ａを視聴できなくなる。
【００５０】
また、「わたし」の番組Ａを「ぼく」が別のタイトル名に変更し、「ぼく」がその変更を「わたし」に伝えないでいると、「わたし」はその番組Ａがどこにいったのか分からなくなり、視聴できなくなる恐れがある。あるいは、「わたし」に無断で番組Ａを「ぼく」の番組Ｒとタイトル結合してしまうと、番組Ａは番組Ｒの一部に吸収されて見かけ上消失する。その場合、「わたし」は、「ぼく」から「番組Ｒとタイトル結合した」ことを教えてもらわない限り、その番組Ａの中身を視聴できなくなる。
【００５１】
上記「番組視聴を不能にするような操作」に、パスワード設定を含めることも可能である。「わたし」に無断で「ぼく」が番組Ａをパスワードで保護してしまうと、パスワードを知らない「わたし」は番組Ａを視聴できなくなる。
【００５２】
図９は、１つの録画番組に複数ユーザのフォルダ情報がリンクしている場合における、番組削除の考え方を説明する図である。図９（ａ）は、１つの録画番組Ｑ１のフォルダ情報Ｆ１に対して１つのフォルダ情報Ｆ２またはＦ３しか紐付け（リンク9-a）できない場合を例示している。これに対し、図９（ｂ）は、１つのフォルダ情報Ｆ１に複数のフォルダ情報Ｆ２およびＦ３を紐付ける（リンク9-b）場合を例示している。（図９の番組Ｑ１は、図６その他で例示した番組Ａ、Ｂ、Ｃ、…などのいずれかに対応させることができる。）
いま、あるマイフォルダ（例えばおとうさんのマイフォルダ）で表示されていたフォルダ情報Ｆ１（番組Ｑ１に対応）に対して削除操作をした場合を考えてみる。おとうさんのマイフォルダからこのフォルダ情報Ｆ１の削除操作がなされると、図９（ａ）の例では番組Ｑ１のコンテンツ本体（実ファイル）の削除が行われる（9-c）。その場合、フォルダ情報Ｆ１とともに、情報Ｆ１に紐付けされたフォルダ情報Ｆ２またはＦ３も消される。
【００５３】
しかし、図９（ｂ）の例では、おとうさんのマイフォルダからフォルダ情報Ｆ１の削除操作をしても、番組Ｑ１の実ファイルは削除せず、おとうさんのマイフォルダ上での表示対象からフォルダ情報Ｆ１を外す（表示から消す）のみとする（9-d）。この場合、情報Ｆ１に紐付けされたフォルダ情報Ｆ２およびＦ３は消されない。
【００５４】
これにより、あるユーザが自分のマイフォルダから番組を削除しても、同番組を共有している他のユーザのマイフォルダは影響を受けることが無くなる。例えば、自分のマイフォルダからフォルダ情報Ｆ１の削除を行ったおとうさんは自分のマイフォルダから番組Ｑ１を視聴することはできなくなるが、番組Ｑ１の実ファイルは消されずに残っている。番組Ｑ１の実ファイルと他のユーザ（例えばわたしとおばあちゃん）のフォルダ情報Ｆ２、Ｆ３とのリンクは切れていないので、わたしとおばあちゃんは、自分のマイフォルダから番組Ｑ１を視聴できる。
【００５５】
おとうさんのマイフォルダおよびわたしのマイフォルダから番組Ｑ１に対応するフォルダ情報Ｆ１、Ｆ２が削除されても、その他のマイフォルダに番組Ｑ１に対応するフォルダ情報（例えばおばあちゃんのフォルダ情報Ｆ３）が残っていれば、番組Ｑ１の実ファイルは消されない（図９（ｃ））。
【００５６】
もし、わたしのマイフォルダからぼくのマイフォルダへ番組Ｑ１の共有追加登録（その方法は図７参照）が既になされていれば、番組Ｑ１に対応するフォルダ情報Ｆ４がぼくのマイフォルダに残る。すると、おとうさんのマイフォルダ、わたしのマイフォルダおよびおばあちゃんのマイフォルダから番組Ｑ１に対応するフォルダ情報Ｆ１〜Ｆ３が削除されても、番組Ｑ１の実ファイルは消されない（図９（ｃ））。
【００５７】
マイフォルダから録画番組の実ファイルが消されるのは、全てのマイフォルダから、該当番組に付加されている全てのフォルダ情報が消された場合に限られる。すなわち、録画番組の実ファイルが削除される条件は、その録画番組に付加されている全てのフォルダ情報が削除された場合である。つまり、全てのマイフォルダで対象となる録画番組の削除操作が行われた場合に、最後のマイフォルダからフォルダ情報が消されるタイミングで初めて、実ファイルの削除（図９（ｄ）10-a）を実施する。
【００５８】
なお、マイフォルダ以外（例えば録画リストやジャンル別リスト）から複数ユーザで共有された録画番組を削除する場合は、その操作では直接実ファイルの削除を行う。ただし、実ファイルが削除される際には、ユーザに対して実ファイルが削除される旨のワーニングメッセージ（図示せず）などを表示する。
【００５９】
図１０は、録画番組と各フォルダの紐づきの関係の一例を説明する図である。各録画番組のメタ情報に紐付けされているフォルダには、インデックス番号（＜１＞＜２＞＜３＞など）が付加されている（11-a）。また、各フォルダには、登録されているユーザの情報（マイフォルダのフォルダ名、アイコン情報、コンテンツの視聴が済んでいない未視聴番組を示す情報などが記録される（11-b）。
【００６０】
上記のインデックス番号により、各録画番組を紐付け(リンク）することができる。例えば、図７（ａ）のおとうさんマイフォルダにある番組Ａにインデックス番号＜１＞が付加されている場合、図７（ｃ）のわたしマイフォルダに追加登録された共有番組Ａにインデックス番号＜１＞を付加する。こうして、各マイフォルダ内の共有番組を、共通のインデックス番号により互いに紐付けることができる。
【００６１】
図１２は、録画メディア（ＨＤＤ等の大容量記憶媒体）の空き容量が少なくなってきたときに録画メディアから重要度の低い順に録画番組を自動削除する手順の一例を示す。この処理は、図１１のＳＴ２４の処理の一環として行うことができるが、ＳＴ２４とは別の処理タイミングで行われてもよい。
【００６２】
録画番組の自動削除機能が有効になっている場合、記録媒体の録画可能領域が残り少なくなってくると、録画番組を自動で削除し記録可能領域が確保されるが、フォルダ情報が付加され共有されている録画番組については、以下のような流れで削除する優先順位を決定する。
【００６３】
まず、録画リスト（または、全曜日の曜日別リスト、全ジャンルのジャンル別リスト、全ユーザのマイフォルダなど）において、フォルダ情報が空の番組（フォルダ情報が全く付加されていない番組）を検索する（図１２のＳＴ１００）。フォルダ情報が空の番組が見つかった場合は（ＳＴ１０２イエス）、それらの番組の中から録画日時が最も古いものを検索し（ＳＴ１１０）、録画日時が古い番組から優先的に自動削除する（ＳＴ１１２）。この削除の結果、記録媒体の録画可能領域が十分（たとえば現在の記録モードで録画可能時間が１０時間以上）になったら（ＳＴ１１４イエス）、自動削除を終了する。番組を削除しても記録媒体の録画可能領域が不十分なときは（ＳＴ１１４ノー）、録画可能領域が十分となるまでＳＴ１１０〜ＳＴ１１４の処理を繰り返す。
【００６４】
フォルダ情報が空の番組が見つからなかった場合（フォルダ情報が付加された番組しか存在しない場合）は（ＳＴ１０２ノー）、フォルダ情報が付加された番組のうち、全てのユーザが視聴済みの番組を検索する（ＳＴ１０４）。視聴済みの番組が見つかった場合は（ＳＴ１０６イエス）、それらの番組の中から録画日時が最も古いものを検索し（ＳＴ１２０）、古いものから優先的に自動削除を行う（ＳＴ１２２）。この削除の結果、記録媒体の録画可能領域が十分になったら（ＳＴ１２４イエス）、自動削除を終了する。番組を削除しても記録媒体の録画可能領域が不十分なときは（ＳＴ１２４ノー）、録画可能領域が十分となるまでＳＴ１２０〜ＳＴ１２４の処理を繰り返す。
【００６５】
視聴済みの番組が見つからなかった場合（フォルダ情報が付加されてかつ未視聴の番組しか存在しない場合）は（ＳＴ１０６ノー）、未視聴の番組の中から録画日時が最も古いものを検索し（ＳＴ１３０）、古いものから優先的に自動削除を行う（ＳＴ１３２）。この削除の結果、記録媒体の録画可能領域が十分になったら（ＳＴ１３４イエス）、自動削除を終了する。番組を削除しても記録媒体の録画可能領域が不十分なときは（ＳＴ１３４ノー）、録画可能領域が十分となるまでＳＴ１３０〜ＳＴ１３４の処理を繰り返す。
【００６６】
なお、上記のような優先順位付けによる自動削除の他に、ユーザは他の設定（例えば無条件に最古の番組から削除していく）を選択することも可能である。
【００６７】
また、録画された各番組の属性情報として誤消去防止フラグ（図示せず）を設けることも可能である。このフラグが消去禁止状態になっている番組については、ＳＴ１１２、ＳＴ１２２、ＳＴ１３２における番組削除はスキップされる。そうすると、消去禁止の番組が多数ある場合、図１２の自動削除を実行しても記録領域が十分得られないことが起き得る。その場合は「（現在選択されている記録メディアでは）記録領域が不足している」旨のメッセージ（図示せず）を表示することができる。このメッセージ表示により、ユーザに、手動による番組削除を促すか、新たな記録メディアの使用を促す。
【００６８】
例えば、番組の自動削除をしても図１の内部ＨＤＤ８０の「記録領域不足」が解消しない場合は、ユーザは、使用する記録メディアを、図１のＬＡＮＨＤＤ２２６、もしくは、ＵＳＢＨＤＤ２３４または２３６へ切り換えることができる。それでも記録領域が不足するときは、図１のメモリカード１９および／または２０を臨時の記憶領域として利用できる。後に新しいＵＳＢＨＤＤ３（図示せず）がハブ２３２経由でＴＶ１１に追加登録されたら、メモリカード１９および／または２０に録画された番組を新たに追加登録されたＵＳＢＨＤＤ３にダビング（コピーまたはムーブ）できる。
【００６９】
＜一実施の形態の要点＞
録画予約リストまたは録画リストにおいて、同一番組を共有したいユーザの追加／削除を可能とする（図３（ｄ）または図７（ｂ）のマイフォルダ設定メニューにおいてチェックボックスにチェックを入れたり外したりする）。これにより、複数のユーザ間での同一番組の共有／非共有を容易に管理できる（番組共有機能）。また、フォルダ上表示の削除と実番組削除を区別することにより、複数ユーザで共有しつつ他のユーザを意識する必要のない番組削除を可能とする。
【００７０】
＜一実施の形態から得られる効果の例＞
ａ：録画予約および録画リストにおいて、同一番組に複数のフォルダ情報を付加し複数ユーザ間で共有することによって、マイフォルダ機能の利便性を向上させる。この利便性向上と同時に、見たかった番組が未視聴のまま他のユーザにより削除されてしまうことを防止できる。
【００７１】
ｂ：特定の録画機能付ＴＶを複数ユーザで（例えば家族で）使用するにあたり、他のユーザの共有状況を把握することが新たな番組選定情報の１つとなる。そうすると、ユーザの番組視聴の幅を増やすことができ、ユーザ間のコミュニケーション向上にもつながる。例えば、「ぼく」が度々録画しているアニメ番組を「おじいちゃん」が自分のマイフォルダに共有追加登録しておくと、その番組を何話かみた「おじいちゃん」は「ぼく」がどんな内容のアニメに関心があるのか分かるようになる。そうなると、お茶の間で「おじいちゃん」は「ぼく」と話が合うようになる。
【００７２】
ｃ：どのユーザも自由に他のユーザの録画番組を自分のマイフォルダに共有登録することができる（複数ユーザ間で録画番組を共有することができる）。かつ、共有登録にあたり他のユーザのマイフォルダ内の番組を確認する際に、他のユーザの視聴状態を変更することなく、また番組を誤削除することなく、マイフォルダを操作することが可能となる。
【００７３】
＜まとめ＞
１．録画予約における同一番組の共有方法
（番組表の見せ方、予約方法、予約リストでの共有ユーザ追加／削除）
１−１．番組の録画予約時に、録画対象となる番組に任意のフォルダ情報を付加することを可能とし（図３）、既に予約済みの番組に対しても後からのフォルダ情報の追加／削除を可能とする（図７）。また、１つの番組（例えば図７（ａ）の番組Ａ）に対して複数のフォルダ情報（「おとうさん」のフォルダ情報、「わたし」のフォルダ情報など）を付加することを可能とする。フォルダ情報が付加された番組は、録画後に録画リスト上のユーザが設定した任意フォルダ（例えば図６の「おとうさん」マイフォルダ）で纏めて表示することができる。
【００７４】
１−２．任意のフォルダ情報が付加された番組（例えば図４の4-b）をＥＰＧ（電子番組表）上で選択した際に、その番組を共有しているユーザの情報をアイコンなどで表示する（例えば図４の4-c、4-d）。これにより、録画予約されている番組の共有状況を一目で把握することが可能となり、新たな番組の選定情報の１つとなる。
【００７５】
１−３．録画予約リスト表示において、フォルダ情報が付加された番組の録画予約を、ユーザ毎の予約リスト（例えば図５（ａ）のようなマイ予約リスト）として表示することを可能とする。
【００７６】
２．録画リストにおける同一番組の共有方法
（録画リストでの共有ユーザ追加／削除、“NEW”アイコンの見せ方）
２−１．録画予約時にフォルダ情報が付加された番組は、録画リスト上にあるユーザが任意に設定したフォルダ（例えば図６のマイフォルダ）で纏めて表示することができる。また、録画リストやマイフォルダで表示されている番組に対して、フォルダ情報を追加／削除することを可能とする。新たなフォルダ情報が付加された番組は、追加したユーザのマイフォルダで新たに表示可能となる。
【００７７】
２−２．既に視聴済み（例えば“NEW”アイコンが消えている）番組に対してフォルダ情報を追加した場合、追加したユーザのマイフォルダ上では未視聴番組として（“NEW”アイコンが付いた状態で）追加表示される（図７（ｃ））。
【００７８】
２−３．マイフォルダ画面から共有モードへ切り替えること（リモートコントローラ１７の、図示しないカラーキーの押下またはクイックメニューからの選択）によって、他のユーザのマイフォルダに表示されている番組（例えば図７（ａ）の番組Ａ）に対して変更を加える事ことなく、その番組を視聴したり、その番組を自分のマイフォルダへ追加登録する（図７の8-e）ことができる。
【００７９】
３．複数のユーザで共有されている番組の削除方法
（マイフォルダ上の表示と実ファイルの削除、番組の自動削除対応）
３−１．複数のユーザで共有されている番組をマイフォルダ上で削除した場合、実ファイルは削除せずに、マイフォルダ上の表示対象から削除されるのみとする（図９（ｃ））。共有されている番組が、共有している全てのマイフォルダ上から削除された場合、最後にマイフォルダから削除するタイミングで実ファイルの削除を行う（図９（ｄ））。
【００８０】
３−２．複数ユーザで共有された番組を、マイフォルダ以外（録画リストなど）から削除した場合は、実ファイルを削除し、全てのマイフォルダ上から削除される。ただし削除の際、ユーザに対してマイフォルダからも削除される旨のメッセージ（図示せず）を表示する。
【００８１】
３−３．録画番組の自動削除においては、無条件で古い番組から自動削除される設定（図示せず）と、以下の優先順位で自動削除する設定を切り替えることを可能とする。
【００８２】
共有されていない番組（録画リストには表示されマイフォルダには表示されていない番組）…図１２のＳＴ１０２イエス、ＳＴ１１０、ＳＴ１１２；
共有されており、かつ視聴済みの番組…図１２のＳＴ１０２ノー、ＳＴ１０６イエス、ＳＴ１２０、ＳＴ１２２；
共有されており、かつ未視聴の番組…図１２のＳＴ１０２ノー、ＳＴ１０６ノー、ＳＴ１３０、ＳＴ１３２。
【００８３】
上記の削除処理において、（図１２のＳＴ１００およびＳＴ１０４における検索結果などから）どの番組が自動削除されていくかユーザに通知し、ユーザは自動削除候補の番組の確認が可能とする。例えば、図１２のＳＴ１１０、ＳＴ１２０、およびＳＴ１３０の処理ブロックの前に、ユーザが消したくない番組を削除対象から外す操作が行えるような処理ブロック（図示せず）を設ける。
【００８４】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８５】
６３…制御部；６３ａ…ＣＰＵ（またはＭＰＵ）；６３ｂ…ＲＯＭ（制御プログラム等のメモリ）；６３ｃ…ＲＡＭ（ワークメモリ）；６３ｄ…不揮発性メモリ（ユーザ設定情報等のメモリ）；６３ｅ…番組表作成／録画予約の制御部；６３ｆ…フォルダ管理部；６３ｇ…番組管理部。
【図１】
2015122549.tif 000003
【図２】
2015122549.tif 000004
【図３】
2015122549.tif 000005
【図４】
2015122549.tif 000006
【図５】
2015122549.tif 000007
【図６】
2015122549.tif 000008
【図７】
2015122549.tif 000009
【図８】
2015122549.tif 000010
【図９】
2015122549.tif 000011
【図１０】
2015122549.tif 000012
【図１１】
2015122549.tif 000013
【図１２】
2015122549.tif 000014